(57)【要約】      （修正有）【課題】多数の熱源を同時に探知し、統合システムの多数のファンが同時に散熱を行い、システム環境の積熱を効果的に低下させることができるシステムファン統合制御装置の提供。【解決手段】複数の熱源及び該熱源に対してそれぞれ温度低下を行うファンを備えるコンピュータシステムに適用し、複数の探知ユニットは該複数の熱源を探知し、多数組の温度変化パラメーター信号を出力する。信号統合判断回路は該複数の温度変化パラメーター信号を受信し、該複数の温度変化パラメーター信号に対して判別を行い、回転速度調整信号の発信を決定する。ファン駆動回路は該信号統合判断回路及び外部駆動電力源に連接し、該回転速度調整信号を受信し、該外部駆動電力源を同時に調整し、該複数のファンの駆動電力を調整する。【選択図】図１
0003131757.tif 000002
【実用新案登録請求の範囲】
【請求項１】
複数の熱源及び該熱源に対してそれぞれ温度低下を行うファンを備えるコンピュータシステムに適用し、
複数の探知ユニット、信号統合判断回路、ファン駆動回路を含み、
該複数の探知ユニットは該複数の熱源に設置し、該熱源を探知し、多数組の温度変化パラメーター信号を出力し、
該信号統合判断回路は該複数の探知ユニットと連接し、該複数の温度変化パラメーター信号を受信し、該信号統合判断回路は信号統合手段を備え、該複数の温度変化パラメーター信号に対して判別を行い、回転速度調整信号の発信を決定し、
該ファン駆動回路は該信号統合判断回路及び外部駆動電力源に連接し、該ファン駆動回路は該回転速度調整信号を受信し、該外部駆動電力源を同時に調整し、該複数のファンの駆動電力を調整することを特徴とするシステムファン統合制御装置。
【請求項２】
請求項１記載のシステムファン統合制御装置において、前記探知ユニットサーミスターであることを特徴とするシステムファン統合制御装置。
【請求項３】
請求項１記載のシステムファン統合制御装置において、前記信号統合判断回路は該多数組の温度変化パラメーター信号の統合計算を行う信号転換ユニット、及びパラメーターレベルを設立し該温度変化パラメーター信号を振り分け、該回転速度調整信号を発信するロジックユニットを含むことを特徴とするシステムファン統合制御装置。
【請求項４】
請求項１或いは請求項３記載のシステムファン統合制御装置において、前記回転速度調整信号は多数組の温度変化パラメーター信号の最大値パラメーター信号を回転速度調整信号とすることを特徴とするシステムファン統合制御装置。
【請求項５】
請求項１或いは請求項３記載のシステムファン統合制御装置において、前記回転速度調整信号は多数組の温度変化パラメーター信号の平均値パラメーター信号を回転速度調整信号とすることを特徴とするシステムファン統合制御装置。
【請求項６】
請求項１或いは請求項３記載のシステムファン統合制御装置において、前記ファン駆動回路は該回転速度調整信号を受信する比較ユニットを備え、該比較ユニットは駆動信号発生ユニットを連接し、これにより該回転速度調整信号はレベル修正を行い、該駆動信号発生ユニットが出力する駆動信号によりファン回転速度信号をパワースイッチに発信し、該パワースイッチは該ファン回転速度信号により外部駆動電力源の該複数のファンに対する駆動電力を決定することを特徴とするシステムファン統合制御装置。
【請求項７】
請求項１記載のシステムファン統合制御装置において、前記信号統合判断回路はマイクロコントロールユニットであることを特徴とするシステムファン統合制御装置。
【請求項８】
請求項１記載のシステムファン統合制御装置において、前記システムファン統合制御装置は該コンピュータシステム内部のマザーボード上に設置することを特徴とするシステムファン統合制御装置。
【請求項９】
請求項１記載のシステムファン統合制御装置において、前記システムファン統合制御装置は該コンピュータシステム内部のパワーサプライ上に設置することを特徴とするシステムファン統合制御装置。
【請求項１０】
請求項１記載のシステムファン統合制御装置において、前記システムファン統合制御装置は外付け式制御器であることを特徴とするシステムファン統合制御装置。
【請求項１１】
請求項１記載のシステムファン統合制御装置において、前記熱源はパワーサプライ、或いはCPU、或いはグラフィックスカード、或いはハードディスクドライブ、或いはコンピュータシステム内部であることを特徴とするシステムファン統合制御装置。
【考案の詳細な説明】
【技術分野】
【０００１】
本考案は一種のファン制御装置に関する。特に一種の多数の熱源を探知し、統合システムの多数のファンが同時に散熱を行い、システム環境の熱を効果的に発散することができるシステムファン統合制御装置に係る。
【背景技術】
【０００２】
精密技術の発展に従い、PCなどの電子装置はますますコンパクトになっている。しかし、性能の拡大により、電子装置の散熱に関しても重大問題となっている。
特許文献１は大多数の特許文書或いは製品が提供する温度感知式散熱器を提示している。該構造の主要設計コンセプトはサーミスター（thermistor）或いは他の温度感知部品の温度探知回路を通して、電子装置の作動時に、該電子装置の熱源に対して継続してその温度変化を探知し、熱源温度の設定温度基準値超過を温度探知回路が探知すると、信号を駆動回路に発信し散熱器を制御し、対応する回転速度を上げ、温度低下性能を高める。
【０００３】
【特許文献１】台湾特許第200619900号明細書
【０００４】
しかし、この種の方式は現在の電子装置のニーズを満たすことができなくなって来ている。例えば、一般のPC内部にはパワーサプライ、CPU、ハードディスクドライブ、グラフィックスカード、ケースなど多数の熱源があり、散熱効果を達成しようとするなら、該熱源位置に対応しそれぞれ散熱用のファンを設置し、該熱源温度を低下させなければならない。けれど、公知のファン制御構造では、各ファンは単一熱源温度の上昇だけを感知することができ、駆動電力の調整を通して、個別にファンの回転速度を高めるものである。しかし、単一熱源の温度が上昇すると、それに従い熱対流によりシステム全体の環境温度も同時に上昇し易いが、公知のファン設計では環境積熱がもたらす悪影響については考慮されていない。そのため各ファンは単一の熱源の温度低下だけを行い、統合システム内の多数のファンが同時に回転速度を上げるよう制御されることはない（ケースのファンは回転速度を高め熱空気をケース外に排出する必要があるなど）。
このため、熱対流によりシステム全体の温度は上昇し、全体の散熱効率を低下させてしまい、環境積熱の問題を効果的に解決することができない。
【考案の開示】
【考案が解決しようとする課題】
【０００５】
本考案の主要目的は、システムファン統合制御装置を提供することにあり、これにより多数の熱源を同時に探知し、統合システムの多数のファンが同時に散熱を行い、システム環境の積熱を効果的に低下させることができる。
【０００６】
それは主に複数の探知ユニットが該複数の熱源を探知し、多数組の温度変化パラメーター信号を出力し、信号統合判断回路は該複数の温度変化パラメーター信号を受信し、該複数の温度変化パラメーター信号に対して判別を行い、回転速度調整信号の発信を決定し、ファン駆動回路は該信号統合判断回路及び外部駆動電力源に連接し、該回転速度調整信号を受信し、該外部駆動電力源を同時に調整し、該複数のファンの駆動電力を調整し、
これにより多数の熱源探知ユニット並びに統合システムの多数のファンに対して同時に散熱を行うことができるシステムファン統合制御装置を提供する。
【課題を解決するための手段】
【０００７】
請求項１の考案は、複数の熱源及び該熱源に対してそれぞれ温度低下を行うファンを備えるコンピュータシステムに適用し、
複数の探知ユニット、信号統合判断回路、ファン駆動回路を含み、
該複数の探知ユニットは該複数の熱源に設置し、該熱源を探知し、多数組の温度変化パラメーター信号を出力し、
該信号統合判断回路は該複数の探知ユニットと連接し、該複数の温度変化パラメーター信号を受信し、該信号統合判断回路は信号統合手段を備え、該複数の温度変化パラメーター信号に対して判別を行い、回転速度調整信号の発信を決定し、
該ファン駆動回路は該信号統合判断回路及び外部駆動電力源に連接し、該ファン駆動回路は該回転速度調整信号を受信し、該外部駆動電力源を同時に調整し、該複数のファンの駆動電力を調整することを特徴とするシステムファン統合制御装置としている。
請求項２の考案は、請求項１記載のシステムファン統合制御装置において、前記探知ユニットサーミスターであることを特徴とするシステムファン統合制御装置としている。
請求項３の考案は、請求項１記載のシステムファン統合制御装置において、前記信号統合判断回路は該多数組の温度変化パラメーター信号の統合計算を行う信号転換ユニット、及びパラメーターレベルを設立し該温度変化パラメーター信号を振り分け、該回転速度調整信号を発信するロジックユニットを含むことを特徴とするシステムファン統合制御装置としている。
請求項４の考案は、請求項１或いは請求項３記載のシステムファン統合制御装置において、前記回転速度調整信号は多数組の温度変化パラメーター信号の最大値パラメーター信号を回転速度調整信号とすることを特徴とするシステムファン統合制御装置としている。
請求項５の考案は、請求項１或いは請求項３記載のシステムファン統合制御装置において、前記回転速度調整信号は多数組の温度変化パラメーター信号の平均値パラメーター信号を回転速度調整信号とすることを特徴とするシステムファン統合制御装置としている。
請求項６の考案は、請求項１或いは請求項３記載のシステムファン統合制御装置において、前記ファン駆動回路は該回転速度調整信号を受信する比較ユニットを備え、該比較ユニットは駆動信号発生ユニットを連接し、これにより該回転速度調整信号はレベル修正を行い、該駆動信号発生ユニットが出力する駆動信号によりファン回転速度信号をパワースイッチに発信し、該パワースイッチは該ファン回転速度信号により外部駆動電力源の該複数のファンに対する駆動電力を決定することを特徴とするシステムファン統合制御装置としている。
請求項７の考案は、請求項１記載のシステムファン統合制御装置において、前記信号統合判断回路はマイクロコントロールユニットであることを特徴とするシステムファン統合制御装置としている。
請求項８の考案は、請求項１記載のシステムファン統合制御装置において、前記システムファン統合制御装置は該コンピュータシステム内部のマザーボード上に設置することを特徴とするシステムファン統合制御装置としている。
請求項９の考案は、請求項１記載のシステムファン統合制御装置において、前記システムファン統合制御装置は該コンピュータシステム内部のパワーサプライ上に設置することを特徴とするシステムファン統合制御装置としている。
請求項１０の考案は、請求項１記載のシステムファン統合制御装置において、前記システムファン統合制御装置は外付け式制御器であることを特徴とするシステムファン統合制御装置としている。
請求項１１の考案は、請求項１記載のシステムファン統合制御装置において、前記熱源はパワーサプライ、或いはCPU、或いはグラフィックスカード、或いはハードディスクドライブ、或いはコンピュータシステム内部であることを特徴とするシステムファン統合制御装置としている。
【考案の効果】
【０００８】
本考案はシステムファン統合制御装置により多数の熱源に対して探知を行い、同時にこれにより外部駆動電力源は複数のファンの駆動電力に対して調整を行い、統合システムの多数のファンは同時に散熱を行う。こうしてシステム環境の積熱を効果的に低下させることができる。
【考案を実施するための最良の形態】
【０００９】
本考案最適実施例の回路図と構造図である図１、３に示すように、本考案システムファン統合制御装置１は複数の熱源１１、１２、１３、１４、１５及び該熱源１１、１２、１３、１４、１５に対してそれぞれ温度低下を行うファン２１、２２、２３、２４、２５を備えるコンピュータシステム１０に適用する。該複数の熱源１１、１２、１３、１４、１５はそれぞれ該コンピュータシステム１０内部のパワーサプライ、CPU、ハードディスクドライブ、グラフィックスカード、コンピュータシステム内部など（但し、これに限定するものではない）である。
【００１０】
該システムファン統合制御装置１は複数の探知ユニット２、信号統合判断回路４、ファン駆動回路６を含む。
該複数の探知ユニット２はサーミスター（thermistor）で、該複数の熱源１１、１２、１３、１４、１５に設置し、該熱源１１、１２、１３、１４、１５を探知し、多数組の温度変化パラメーター信号３を出力する。
該信号統合判断回路４はマイクロコントロールユニット（MCU）で、該複数の探知ユニット２と連接し、該複数の温度変化パラメーター信号３を受信する。該信号統合判断回路４は信号統合手段を備え、該複数の温度変化パラメーター信号３に対して判別を行い、回転速度調整信号５の発信を決定する。該回転速度調整信号５は多数組の温度変化パラメーター信号３の最大値パラメーター信号を回転速度調整信号５とし、或いは多数組の温度変化パラメーター信号３の平均値パラメーター信号を回転速度調整信号５とする。
該ファン駆動回路６は該信号統合判断回路４及び外部駆動電力源７に連接する。該ファン駆動回路６は該回転速度調整信号５を受信し、該外部駆動電力源７を同時に調整し、該複数のファン２１、２２、２３、２４、２５の駆動電力８を調整する。
【００１１】
次に本考案最適実施例の回路図である図２に示すように、該信号統合判断回路４は該温度変化パラメーター信号３の統合計算を行う信号転換ユニット４１（積分回路など）、及びパラメーターレベルを設立し該温度変化パラメーター信号３を振り分け、該回転速度調整信号５を発信するロジックユニット４２（ORゲートなど）を含む。
しかも、該ファン駆動回路６は該回転速度調整信号５を受信する比較ユニット６１を備え、該比較ユニット６１は駆動信号発生ユニット６２を連接し、これにより該回転速度調整信号５はレベル修正を行い、該駆動信号発生ユニット６２が出力する駆動信号６２１によりファン回転速度信号６１１をパワースイッチ６３に発信する。該パワースイッチ６３は該ファン回転速度信号６１１により外部駆動電力源７の該複数のファン２１、２２、２３、２４、２５に対する駆動電力８を決定する。
【００１２】
本考案のシステムファン統合制御装置１は図３に示す外付け式制御器に限定するものではなく、図４に示すマザーボード１６上の構造、或いは図５に示すコンピュータシステム１０内部のパワーサプライ（熱源１１）内部の構造とすることもできる。該システムファン統合制御装置１はどこに設置しようとも、すべてパワーサプライに連接し電力取得する電力線３０を備え、該各ファン２１、２２、２３、２４、２５間は該温度変化パラメーター信号３を伝送する信号伝送線３１を連接し、該駆動電力８に電力を提供する電力伝送線３２を設置する。
【図面の簡単な説明】
【００１３】
【図１】本考案最適実施例の回路図である。
【図２】本考案最適実施例の回路図である。
【図３】本考案最適実施例の構造図である。
【図４】本考案第二最適実施例の構造図である。
【図５】本考案第三最適実施例の構造図である。
【符号の説明】
【００１４】
１  システムファン統合制御装置
１０  コンピュータシステム
１１、１２、１３、１４、１５  熱源
１６  マザーボード
２  探知ユニット
２１、２２、２３、２４、２５  ファン
３  温度変化パラメーター信号
３０  電力線
３１  信号伝送線
３２  電力伝送線
４  信号統合判断回路
４１  信号転換ユニット
４２  ロジックユニット
５  回転速度調整信号
６  ファン駆動回路
６１  比較ユニット
６１１  ファン回転速度信号
６２  駆動信号発生ユニット
６２１  駆動信号
６３  パワースイッチ
７  外部駆動電力源
８  駆動電力
【図１】
0003131757.tif 000003
【図２】
0003131757.tif 000004
【図３】
0003131757.tif 000005
【図４】
0003131757.tif 000006
【図５】
0003131757.tif 000007
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
複数の熱源及び該熱源に対してそれぞれ温度低下を行うファンを備えるコンピュータシステムに適用し、
複数の探知ユニット、信号統合判断回路、ファン駆動回路を含み、
該複数の探知ユニットは該複数の熱源に設置し、該熱源を探知し、多数組の温度変化パラメーター信号を出力し、
該信号統合判断回路は該複数の探知ユニットと連接し、該複数の温度変化パラメーター信号を受信し、該信号統合判断回路は信号統合手段を備え、該複数の温度変化パラメーター信号に対して判別を行い、回転速度調整信号の発信を決定し、
該ファン駆動回路は該信号統合判断回路及び外部駆動電力源に連接し、該ファン駆動回路は該回転速度調整信号を受信し、該外部駆動電力源を同時に調整し、該複数のファンの駆動電力を調整することを特徴とするシステムファン統合制御装置。
【請求項２】
請求項１記載のシステムファン統合制御装置において、前記探知ユニットはサーミスターであることを特徴とするシステムファン統合制御装置。
【請求項３】
請求項１記載のシステムファン統合制御装置において、前記信号統合判断回路は該多数組の温度変化パラメーター信号の統合計算を行う信号転換ユニット、及びパラメーターレベルを設立し該温度変化パラメーター信号を振り分け、該回転速度調整信号を発信するロジックユニットを含むことを特徴とするシステムファン統合制御装置。
【請求項４】
請求項１或いは請求項３記載のシステムファン統合制御装置において、前記回転速度調整信号は多数組の温度変化パラメーター信号の最大値パラメーター信号を回転速度調整信号とすることを特徴とするシステムファン統合制御装置。
【請求項５】
請求項１或いは請求項３記載のシステムファン統合制御装置において、前記回転速度調整信号は多数組の温度変化パラメーター信号の平均値パラメーター信号を回転速度調整信号とすることを特徴とするシステムファン統合制御装置。
【請求項６】
請求項１或いは請求項３記載のシステムファン統合制御装置において、前記ファン駆動回路は該回転速度調整信号を受信する比較ユニットを備え、該比較ユニットは駆動信号発生ユニットを連接し、これにより該回転速度調整信号はレベル修正を行い、該駆動信号発生ユニットが出力する駆動信号によりファン回転速度信号をパワースイッチに発信し、該パワースイッチは該ファン回転速度信号により外部駆動電力源の該複数のファンに対する駆動電力を決定することを特徴とするシステムファン統合制御装置。
【請求項７】
請求項１記載のシステムファン統合制御装置において、前記信号統合判断回路はマイクロコントロールユニットであることを特徴とするシステムファン統合制御装置。
【請求項８】
請求項１記載のシステムファン統合制御装置において、前記システムファン統合制御装置は該コンピュータシステム内部のマザーボード上に設置することを特徴とするシステムファン統合制御装置。
【請求項９】
請求項１記載のシステムファン統合制御装置において、前記システムファン統合制御装置は該コンピュータシステム内部のパワーサプライ上に設置することを特徴とするシステムファン統合制御装置。
【請求項１０】
請求項１記載のシステムファン統合制御装置において、前記システムファン統合制御装置は外付け式制御器であることを特徴とするシステムファン統合制御装置。
【請求項１１】
請求項１記載のシステムファン統合制御装置において、前記熱源はパワーサプライ、或いはCPU、或いはグラフィックスカード、或いはハードディスクドライブ、或いはコンピュータシステム内部であることを特徴とするシステムファン統合制御装置。
【手続補正２】
【補正対象書類名】明細書
【補正対象項目名】０００７
【補正方法】変更
【補正の内容】
【０００７】
請求項１の考案は、複数の熱源及び該熱源に対してそれぞれ温度低下を行うファンを備えるコンピュータシステムに適用し、
複数の探知ユニット、信号統合判断回路、ファン駆動回路を含み、
該複数の探知ユニットは該複数の熱源に設置し、該熱源を探知し、多数組の温度変化パラメーター信号を出力し、
該信号統合判断回路は該複数の探知ユニットと連接し、該複数の温度変化パラメーター信号を受信し、該信号統合判断回路は信号統合手段を備え、該複数の温度変化パラメーター信号に対して判別を行い、回転速度調整信号の発信を決定し、
該ファン駆動回路は該信号統合判断回路及び外部駆動電力源に連接し、該ファン駆動回路は該回転速度調整信号を受信し、該外部駆動電力源を同時に調整し、該複数のファンの駆動電力を調整することを特徴とするシステムファン統合制御装置としている。
請求項２の考案は、請求項１記載のシステムファン統合制御装置において、前記探知ユニットはサーミスターであることを特徴とするシステムファン統合制御装置としている。
請求項３の考案は、請求項１記載のシステムファン統合制御装置において、前記信号統合判断回路は該多数組の温度変化パラメーター信号の統合計算を行う信号転換ユニット、及びパラメーターレベルを設立し該温度変化パラメーター信号を振り分け、該回転速度調整信号を発信するロジックユニットを含むことを特徴とするシステムファン統合制御装置としている。
請求項４の考案は、請求項１或いは請求項３記載のシステムファン統合制御装置において、前記回転速度調整信号は多数組の温度変化パラメーター信号の最大値パラメーター信号を回転速度調整信号とすることを特徴とするシステムファン統合制御装置としている。
請求項５の考案は、請求項１或いは請求項３記載のシステムファン統合制御装置において、前記回転速度調整信号は多数組の温度変化パラメーター信号の平均値パラメーター信号を回転速度調整信号とすることを特徴とするシステムファン統合制御装置としている。
請求項６の考案は、請求項１或いは請求項３記載のシステムファン統合制御装置において、前記ファン駆動回路は該回転速度調整信号を受信する比較ユニットを備え、該比較ユニットは駆動信号発生ユニットを連接し、これにより該回転速度調整信号はレベル修正を行い、該駆動信号発生ユニットが出力する駆動信号によりファン回転速度信号をパワースイッチに発信し、該パワースイッチは該ファン回転速度信号により外部駆動電力源の該複数のファンに対する駆動電力を決定することを特徴とするシステムファン統合制御装置としている。
請求項７の考案は、請求項１記載のシステムファン統合制御装置において、前記信号統合判断回路はマイクロコントロールユニットであることを特徴とするシステムファン統合制御装置としている。
請求項８の考案は、請求項１記載のシステムファン統合制御装置において、前記システムファン統合制御装置は該コンピュータシステム内部のマザーボード上に設置することを特徴とするシステムファン統合制御装置としている。
請求項９の考案は、請求項１記載のシステムファン統合制御装置において、前記システムファン統合制御装置は該コンピュータシステム内部のパワーサプライ上に設置することを特徴とするシステムファン統合制御装置としている。
請求項１０の考案は、請求項１記載のシステムファン統合制御装置において、前記システムファン統合制御装置は外付け式制御器であることを特徴とするシステムファン統合制御装置としている。
請求項１１の考案は、請求項１記載のシステムファン統合制御装置において、前記熱源はパワーサプライ、或いはCPU、或いはグラフィックスカード、或いはハードディスクドライブ、或いはコンピュータシステム内部であることを特徴とするシステムファン統合制御装置としている。